(57)【特許請求の範囲】
【請求項１】
ポリウレタンウォームの発泡成形体からなり、着座部における腿下部のパッド表面に収容凹部が設けられたパッド本体と、
繊維材により形成された立体網状クッション体からなり、前記収容凹部に配設された通気性部材と、
前記パッド本体及び通気性部材の表面を覆う通気性を有するシートカバーとを備え、
前記パッド本体には当該パッド本体を貫通して前記収容凹部内とパッド裏面側とを連通させる通気孔が設けられ、前記収容凹部が前記パッド本体の前方から空気を取り込めるように当該パッド本体の前縁に対して通気可能に開かれて設けられ、
前記通気性部材が前記パッド本体の前縁にかかるように設けられ、更に下方に延設されることにより、前記パッド本体の前面部を上下方向に延びる前記通気性部材の縦壁部が形成された
ことを特徴とする車両用シート。
【請求項２】
ポリウレタンウォームの発泡成形体からなり、着座部における腿下部のパッド表面に収容凹部が設けられたパッド本体と、
繊維材により形成された立体網状クッション体からなり、前記収容凹部に配設された通気性部材と、
前記パッド本体及び通気性部材の表面を覆う通気性を有するシートカバーとを備え、
前記パッド本体には当該パッド本体を貫通して前記収容凹部内とパッド裏面側とを連通させる通気孔が設けられ、前記収容凹部が前記パッド本体の前方から空気を取り込めるように当該パッド本体の前縁に対して通気可能に開かれて設けられ、
前記収容凹部が前記パッド本体の前縁から離間して設けられるとともに、該収容凹部と前記パッド本体の前縁とを繋ぐ空気流路が設けられて、該空気流路により前記収容凹部が前記パッド本体の前縁に対して通気可能に開かれ、前記空気流路が前記パッド本体の前縁において下方に延設されて、前記パッド本体の前面部を上下方向に延びる延長溝部が設けられた
ことを特徴とする車両用シート。
【請求項３】
ポリウレタンウォームの発泡成形体からなり、着座部における腿下部のパッド表面に収容凹部が設けられたパッド本体と、
繊維材により形成された立体網状クッション体からなり、前記収容凹部に配設された通気性部材と、
前記パッド本体及び通気性部材の表面を覆う通気性を有するシートカバーと、
前記パッド本体の下方に配置されて当該パッド本体を支持する支持フレームとを備え、
前記支持フレームが、前記パッド本体の前側部分の下面を受ける前側受け面部と、前記前側受け面部の後方に設けられて前記パッド本体の後側部分の下面を複数のバネにより弾性的に支持するバネ部とを備えてなり、
前記パッド本体には当該パッド本体を貫通して前記収容凹部内とパッド裏面側とを連通させる通気孔が設けられ、前記収容凹部が前記パッド本体の前方から空気を取り込めるように当該パッド本体の前縁に対して通気可能に開かれて設けられ、
前記腿下部のパッド裏面側に裏面側凹部が設けられ、前記裏面側凹部が前記前側受け面部の後端を越えて後方の前記バネ部まで延設されており、前記通気孔がパッド裏面側において前記裏面側凹部に開口して設けられた
ことを特徴とする車両用シート。
【請求項４】
ポリウレタンウォームの発泡成形体からなり、着座部における腿下部のパッド表面に収容凹部が設けられたパッド本体と、
繊維材により形成された立体網状クッション体からなり、前記収容凹部に配設された通気性部材と、
前記パッド本体及び通気性部材の表面を覆う通気性を有するシートカバーとを備え、
前記パッド本体には当該パッド本体を貫通して前記収容凹部内とパッド裏面側とを連通させる通気孔が設けられ、前記収容凹部が前記パッド本体の前方から空気を取り込めるように当該パッド本体の前縁に対して通気可能に開かれて設けられ、
前記通気孔が、前記収容凹部からパッド裏面側に向かって後方に傾斜して延びるよう設けられた
ことを特徴とする車両用シート。
【請求項５】
前記シートカバーは、前記パッド本体の前縁を覆う前方側部において他の部分よりも通気性が高く形成されたことを特徴とする請求項１〜４のいずれか１項に記載の車両用シート。
【発明の詳細な説明】
【技術分野】
【０００１】
本発明は、車両用シートに関するものである。
【背景技術】
【０００２】
自動車用シートをはじめとする車両用シートにおいては、乗員の冷房や暖房を行ったり、着座時の蒸れを低減するために、ウレタンパッドに貫通穴や溝を設け、外部に取り付けた送風機等により強制的に空気の流れを作ることによって、座面に冷気や暖気を供給したり、湿度や温度の高くなった空気を換気して、快適性を向上させることが知られている（下記特許文献１，２参照）。しかしながら、かかる従来技術では、空気をシートに供給するために、送風機等を別途設ける必要がある。また、ウレタンパッドについても、パッド表面に設けた溝に蓋をするため、後貼りでスラブウレタン等を貼り付ける必要がある。そのため、いずれも高コストに繋がり、高級グレードの車両等にしか搭載できない状況になっている。
【０００３】
ところで、下記特許文献３には、一定の弾性を有すると共にその厚み方向及び平面方向へ通気可能な、繊維材による３次元的な立体構造の網状クッション体を、ポリウレタンフォームよりなるパッド本体に設けた空気通路を覆うように着座部の表面に配することが開示されている。また、下記特許文献４には、熱可塑性樹脂からなる連続線状体を多数、それぞれループ状に曲がりくねらせ、かつ互いの接触部を融着させた立体網状構造体からなる網状クッション体を、パッド本体の着座部に組み込むことが開示されている。かかる立体網状クッション体は、パッド本体を構成するポリウレタンフォームに比べて、優れた通気性を有する通気性部材である。しかしながら、これらの従来技術では、依然としてパッド裏面側から送風機等により空気を強制的に循環させるものであり、上記高コストの問題を解消するには至っていない。また、これらの従来技術では、車室内の空気の流れを利用してシート内における空気の流れを作るものではなく、折角の通気性部材を活用しきれていない。
【先行技術文献】
【特許文献】
【０００４】
【特許文献１】特開２００７−２３６６０７号公報
【特許文献２】特開２００５−０９５３４３号公報
【特許文献３】特開２００９−０７７７６０号公報
【特許文献４】特開２００４−０７３４２９号公報
【発明の概要】
【発明が解決しようとする課題】
【０００５】
本発明は、以上の点に鑑みてなされたものであり、車室内の空気の流れを利用してシート内で空気を流動させやすくし、これによりシートにこもりやすい温度や湿度を排出させやすくして、着座時の蒸れを安価に低減することができる車両用シートを提供することを目的とする。
【課題を解決するための手段】
【０００６】
本発明に係る車両用シートは、ポリウレタンウォームの発泡成形体からなり着座部における腿下部のパッド表面に収容凹部が設けられたパッド本体と、繊維材により形成された立体網状クッション体からなり前記収容凹部に配設された通気性部材と、前記パッド本体及び通気性部材の表面を覆う通気性を有するシートカバーとを備え、前記パッド本体には当該パッド本体を貫通して前記収容凹部内とパッド裏面側とを連通させる通気孔が設けられ、前記収容凹部が前記パッド本体の前方から空気を取り込めるように当該パッド本体の前縁に対して通気可能に開かれて設けられたものである。
【０００７】
請求項１記載の発明は、上記車両用シートにおいて、前記通気性部材が前記パッド本体の前縁にかかるように設けられ、更に下方に延設されることにより、前記パッド本体の前面部を上下方向に延びる前記通気性部材の縦壁部が形成されたことを特徴とする。
請求項２記載の発明は、上記車両用シートにおいて、前記収容凹部が前記パッド本体の前縁から離間して設けられるとともに、該収容凹部と前記パッド本体の前縁とを繋ぐ空気流路が設けられて、該空気流路により前記収容凹部が前記パッド本体の前縁に対して通気可能に開かれ、前記空気流路が前記パッド本体の前縁において下方に延設されて、前記パッド本体の前面部を上下方向に延びる延長溝部が設けられたことを特徴とする。
【０００８】
請求項３記載の発明は、上記車両用シートにおいて、更に、前記パッド本体の下方に配置されて当該パッド本体を支持する支持フレームを備え、前記支持フレームが、前記パッド本体の前側部分の下面を受ける前側受け面部と、前記前側受け面部の後方に設けられて前記パッド本体の後側部分の下面を複数のバネにより弾性的に支持するバネ部と、を備えてなり、前記腿下部のパッド裏面側に裏面側凹部が設けられ、前記裏面側凹部が前記前側受け面部の後端を越えて後方の前記バネ部まで延設されており、前記通気孔がパッド裏面側において前記裏面側凹部に開口して設けられたことを特徴とする。
【０００９】
請求項４記載の発明は、上記車両用シートにおいて、前記通気孔が、前記収容凹部からパッド裏面側に向かって後方に傾斜して延びるよう設けられたことを特徴とする。
【００１０】
本発明の好ましい一態様例によれば、また、前記シートカバーは、前記パッド本体の前縁を覆う前方側部において他の部分よりも通気性が高く形成されてもよい。
【発明の効果】
【００１１】
本発明によれば、立体網状クッション体からなる通気性部材をパッド表面に設けた収容凹部に配設したので、パッド本体とシートカバーとの間に空気が流動する通気空間が形成される。特に本発明では、通気性部材を収容する収容凹部がシート前方からの空気を取り込めるようにパッド本体の前縁に対して通気可能に開かれているので、エアコン等から吹き出される前方からの風を収容凹部に取り込みやすく、通気性部材から通気孔を介してパッド裏面側に逃がすことにより、空気の流れを作ることができる。このように、車室内の空気の流れを利用して、シート内で空気を流動させやすくすることができるので、安価な構造でありながら、シートにこもりやすい温度や湿度を排出させやすくして着座時の蒸れを低減することができる。
【図面の簡単な説明】
【００１２】
【図１】第１実施形態に係る車両用シートの断面図
【図２】該車両用シートを構成するパッド本体及び通気性部材の斜視図
【図３】該パッド本体及び通気性部材の組み付け状態での平面図
【図４】該パッド本体の底面図
【図５】図３のＶ−Ｖ線断面図
【図６】図３のＶＩ−ＶＩ線断面図
【図７】支持フレームの斜視図
【図８】第２実施形態に係るパッド本体及び通気性部材の組み付け状態での断面図
【図９】第３実施形態に係る車両用シートの断面図
【図１０】第３実施形態のパッド本体及び通気性部材の組み付け状態での断面図
【図１１】図１０に示された組み付け状態についての平面図
【図１２】第４実施形態に係るパッド本体及び通気性部材の組み付け状態での断面図
【図１３】第５実施形態に係る車両用シートの断面図
【発明を実施するための形態】
【００１３】
以下、本発明の実施形態について図面を参照して説明する。
【００１４】
（第１実施形態）
図１〜７に基づいて第１実施形態の車両用シート１０について説明する。この車両用シート１０は、自動車の前席となるシートであり、軟質ポリウレタンフォームの発泡成形体からなるパッド本体１２と、繊維材により形成された立体網状クッション体からなる通気性部材１４と、通気性を有するシートカバー１６と、金属製の支持フレーム１８とを備えてなる。実際には、更に不図示の背もたれ部を備えて車両用シート１０が構成される。
【００１５】
パッド本体１２は、着座者である乗員の臀部を支持するためのシートクッションパッドであり、図２，３に示すように、乗員の臀部から大腿部にかけての部位を受け止める幅方向中央の着座部２０と、その左右両側において上方に隆起状に形成されて乗員を左右から支え着座姿勢を保持するためのサイド部２２，２２とからなる。着座部２０は、乗員の臀部を受け止め支持する後側約半分の尻下部２４と、乗員の大腿部を受け止め支持する前側約半分の腿下部２６とを有して構成されている。
【００１６】
パッド表面、即ちパッド本体１２の上面には、シートカバー１６を係止するため、前後方向Ｘに延びる左右一対の縦吊込み溝２８，２８と、その前後方向中央部において幅方向Ｙに延びる横吊込み溝３０とが設けられている。そして、一対の縦吊込み溝２８，２８よりも幅方向外側が上記サイド部２２，２２となり、その間が着座部２０となっている。また、横吊込み溝３０の後側が尻下部２４となり、前側が腿下部２６となっている。この例では、更に、尻下部２４を前後に区画するように第２横吊込み溝３２が設けられている。
【００１７】
パッド本体１２には、上記腿下部２６のパッド表面に通気性部材１４を収容するための収容凹部３４が設けられている。収容凹部３４は、平面視矩形状をなして腿下部２６の略全域にわたって形成されており、パッド表面から所定の深さにて陥没形成されている。収容凹部３４は、この例では、パッド本体１２の前縁１２Ａにかかるようには設けられておらず、当該前縁１２Ａから離間して、即ち、前縁１２Ａから後方に所定距離をおいた位置に設けられている。
【００１８】
このように収容凹部３４がパッド本体１２の前縁１２Ａまで達していない場合、収容凹部３４にシート前方からの空気をそのまま取り込むことができない。そこで、この例では、図１〜３に示すように、収容凹部３４とパッド本体１２の前縁１２Ａとを繋ぐ空気流路３５を設け、該空気流路３５により収容凹部３４をパッド本体１２の前縁１２Ａに対して通気可能に開かれた状態として、収容凹部３４にパッド本体１２の前方から空気を取り込めるよう構成している。空気流路３５は、この例では、バッド表面に設けた前後方向Ｘに延びる凹溝により形成されており、該凹溝が幅方向Ｙに複数個（図では３個）設けられている。なお、空気流路３５としては、収容凹部３４をパッド本体１２の前縁１２Ａに開口させるものであれば、例えば、収容凹部３４の前縁からパッド本体１２の前縁１２Ａに貫通する前後方向Ｘに延びる貫通穴であってもよい。
【００１９】
パッド本体１２には、また、当該パッド本体１２を貫通して収容凹部３４内とパッド裏面側（即ち、パッド本体１２の下面側）とを連通させる通気孔３６が設けられている。通気孔３６は、この例では、平面視矩形状をなして、左右１つずつ、合計で２つ設けられているが、１つ以上あれば、形状や個数は特に限定されない。
【００２０】
図４〜６に示すように、パッド本体１２には、腿下部２６のパッド裏面側に裏面側凹部３８が陥没形成されている。裏面側凹部３８は、着座者の左右の腿に対応するように、左右の２箇所に略対称に設けられており、平面視矩形状をなしている。上記通気孔３６は、パッド裏面側において該裏面側凹部３８に開口して設けられており、従って、収容凹部３４と裏面側凹部３８との間を繋ぐように設けられている。また、通気孔３６は、図５に示されるように、収容凹部３４の底面に対して垂直ではなく、収容凹部３４からパッド裏面側に向かって後方Ｘｒに傾斜して延びるように設けられている。
【００２１】
パッド本体１２の裏面には、不織布などの補強布４０が積層されている。補強布４０は、金型内にポリウレタンフォーム原料を注入してパッド本体１２を発泡成形する際に、予め金型内に取り付けておくことで積層一体化されている。補強布４０は、上記裏面側凹部３８が設けられた部分を除いて、パッド裏面の略全体にわたって設けられている。
【００２２】
上記通気性部材１４は、繊維材により形成された立体網状クッション体からなり、パッド本体１２の収容凹部３４内に配設される。通気性部材１４は、上記通気孔３６の上面を覆って収容凹部３４を充填するように当該収容凹部３４に対応した形状を有し、この例では、図２に示すように、平面視矩形状に形成されている。このように収容凹部３４に通気性部材１４を配設することにより、腿下部２６において、パッド本体１２とシートカバー１６との間に、空気の流動する空間である通気空間が形成される。
【００２３】
ここで、立体網状クッション体としては、クッション性と通気性を有していれば、特に限定されないが、熱可塑性弾性樹脂からなる繊度が３００ｄｔｅｘ以上の繊維材（連続線状体）をまがりくねらせランダムループを形成し、夫々のループを互いに溶融状態で接触せしめて、接触部の大部分を融着させてなる三次元ランダムループ接合構造体を用いることが好ましい。上記繊度は、より好ましくは５００〜１０００００ｄｔｅｘであり、更に好ましくは５００〜５００００ｄｔｅｘである。上記熱可塑性弾性樹脂としては、ポリエステル系エラストマー、ポリアミド系エラストマー、ポリウレタン系エラストマー、ポリオレフィン系エラストマーなどの熱可塑性エラストマーを使用することが好ましい。また、該三次元ランダムループ接合構造体は、見掛け密度（ＪＩＳ  Ｋ６４００に準拠）が５〜１００ｋｇ／ｍ３であることが好ましく、より好ましくは１０〜８０ｋｇ／ｍ３である。このような見掛け密度のものを用いることにより、クッション性を確保しつつ、優れた通気性を付与することができる。かかる三次元ランダムループ接合構造体の具体例としては、例えば、東洋紡績株式会社製の「ブレスエアー」が挙げられる。
【００２４】
上記シートカバー１６は、図１に示すように、パッド本体１２と通気性部材１４の表面を全体にわたって覆うように設けられており、パッド表面に設けられた吊込み溝２８，３０，３２を利用して公知の方法により張り付けられている。シートカバー１６としては、通気性を有するものであれば、特に限定されず、例えば、ポリエステル繊維等からなるファブリックの他、パンチング等により通気性を付与したレザー等を用いることもできる。
【００２５】
上記支持フレーム１８は、パッド本体１２の下方に配置されてパッド本体１２を支持するものである。図１，７に示すように、支持フレーム１８は、パッド裏面に対応する略矩形状をなしており、パッド本体１２の前側部分（詳細には、腿下部２６）の下面を受ける剛性を持つ前側受け面部４２と、その後方に設けられてパッド本体１２の後側部分（詳細には、主として尻下部２４）の下面を弾性的に支持するバネ部４４とを備えて構成されている。
【００２６】
詳細には、支持フレーム１８は、前端部において幅方向Ｙに延びる略水平な面状の前側受け面部４２と、その左右両端からそれぞれ後方に延びる側壁部４６，４６と、側壁部４６，４６の後端部同士を連結する後側の連結部４８と、前側受け面部４２と連結部４８との間に架け渡されて両者の間を略水平面内で左右に交互に振れながら前後方向に延びる複数本のＳ字状バネ４５とを備えて構成されている。
【００２７】
パッド本体１２の腿下部２６の下面には、上記のように左右一対の裏面側凹部３８が設けられているので、その間の凸状部５０（図４〜６参照）が支持フレーム１８の前側受け面部４２に当接支持される。そのため、腿下部２６のパッド裏面側には、図１に示すように、裏面側凹部３８によって前側受け面部４２との間に隙間５２が形成され、更に、後方のバネ部４４に向かって空気が抜けるように、裏面側凹部３８は前側受け面部４２の後端を越えてより後方まで延設されている。
【００２８】
以上よりなる本実施形態であると、立体網状クッション体からなる通気性部材１４をパッド表面に設けた収容凹部３４に配設したので、パッド本体１２とシートカバー１６との間に空気が流動する通気空間が形成される。そのため、暖まった空気を該通気空間から通気孔３６を介して流動させることができるので、高くなった温度や湿度を排出しやすくなる。
【００２９】
特に通気性部材１４を収容する収容凹部３４がシート前方からの空気を取り込めるようにパッド本体１２の前縁１２Ａに対して通気可能に開かれているので、シート前方の空気を空気流路３５から収容凹部３４の通気性部材１４に導き、通気孔３６を通ってパッド裏面側に導くような空気の流れを作ることができる。そのため、着座時や運転時の振動で、空気が排出、吸引を繰り返し、空気を流動させて、高くなった温度や湿度を排出することができる。また、通常のエアコンを作動させることにより生じるシート前方からの風を、図１に示すように、パッド本体１２の前縁１２Ａから空気流路３５を通って収容凹部３４の通気性部材１４に取り込み、通気性部材１４から通気孔３６を介してパッド裏面側、更に後方のバネ部４４に逃がすことができる。そのため、車室内の空気の流れを利用して、シート１０内で空気を流動させやすくすることができる。
【００３０】
このように既存の空調設備はそのままで、その風の流れを利用してシート１０内で空気を循環させることができるので、安価な構造でありながら、シート１０にこもりやすい温度や湿度を排出させやすくして、着座時の蒸れを低減することができる。
【００３１】
また、この実施形態であると、腿下部２６に裏面側凹部３８を設けて、該裏面側凹部３８に通気孔３６を開口させたので、パッド裏面側に空気を排出しやすくすることができる。特に、上記支持フレーム１８の構成と裏面側凹部３８との位置関係とも相俟って、パッド裏面側において空気を後方に逃がす効果を高めることができる。また、上記のように通気孔３６が下方に向かって後方に傾斜して形成されていることからも、この後方に逃がす効果をより高めることができる。
【００３２】
（第２実施形態）
図８は第２実施形態に係るパッド本体１２と通気性部材１４との組み付けた状態を示す図である。この例では、パッド本体１２に設けた空気流路３５の構成が第１実施形態とは異なる。
【００３３】
すなわち、この例では、収容凹部３４とパッド本体１２の前縁１２Ａとを繋ぐ凹溝状の空気流路３５が、単にパッド前縁１２Ａまで設けられているだけではなく、更に下方に延設されており、従って、パッド本体１２の前面部１２Ｂを上下方向に延びる延長溝部５４が形成されている。
【００３４】
このように空気流路３５をパッド本体１２の前面部１２Ｂに回り込むように延長したことにより、シート前方からの風を更に取り込みやすくすることができる。その他の構成は第１実施形態と同様であり、同様の作用効果が奏される。
【００３５】
（第３実施形態）
図９〜１１は第３実施形態を示したものである。この実施形態では、通気性部材１４がパッド本体１２の前縁１２Ａにかかるように設けられた点で、第１実施形態とは異なる。
【００３６】
すなわち、この例では、パッド本体１２に設けられた収容凹部３４が、パッド本体１２の前縁１２Ａにかかるようにパッド本体１２の前方に開かれた形状に設けられており、第１実施形態に対して前方に延長されている。そして、この延長された収容凹部３４を埋めるように通気性部材１４が配設されており、これにより、通気性部材１４はパッド本体１２の前縁１２Ａに至るまで設けられている。
【００３７】
このように通気性部材１４をパッド本体１２の前縁１２Ａまで配設することにより、大腿部の圧迫感を低減することができる。立体網状クッション体からなる通気性部材１４は、ポリウレタンフォームの発泡成形体からなるパッド本体１２に比べて、硬度を同等に設定した場合、初期荷重に対する撓み量が大きく柔らかいという特徴がある。これは、立体網状クッション体には、ポリウレタンフォームの発泡成形体のような高密度のスキン層（コア部に比べて高密度）がないためである。例えば、シートクッションパッドとして一般的なポリウレタンフォームの発泡成形体と、立体網状クッション体として東洋紡績株式会社製「ブレスエアー」とについて、荷重撓み特性を比較したところ、下記表１に示すように、硬さ（２５％硬度）は略同等でありながら、５％撓み時と１０％撓み時での荷重は立体網状クッション体の方が顕著に小さい値であった。なお、荷重撓み特性試験は、ＪＡＳＯ−Ｂ４０８の硬さ試験に準拠して行った（最大荷重：９８０Ｎ、加圧板：φ２００ｍｍ、撓み速度：１００ｍｍ／分）。
【００３８】
【表１】
0005959812.tif 000002
【００３９】
このように通気性部材１４は、パッド本体１２に比べて初期荷重に対して柔らかいので、これをパッド前縁１２Ａにかかるように設けることにより、大腿部の圧迫感を低減することができる。また、通気性部材１４をパッド本体１２の前縁１２Ａまで配設することにより、その幅方向の全体でシート前方からの風を取り込むことができるので、空気をより流動しやすくすることができる。その他の構成は第１実施形態と同様であり、同様の作用効果が奏される。
【００４０】
（第４実施形態）
図１２は第４実施形態に係るパッド本体１２と通気性部材１４との組み付けた状態を示す図である。この例では、通気性部材１４がパッド本体１２の前面部１２Ｂに回り込むように延長された点で第３実施形態とは異なる。
【００４１】
すなわち、この例では、収容凹部３４とこれに配設された通気性部材１４が、単にパッド前縁１２Ａまで達しているだけでなく、更に下方に延設されており、従って、パッド本体１２の前面部１２Ｂを上下方向に延びる通気性部材１４の縦壁部１４Ａが形成されている。
【００４２】
このように通気性部材１４をパッド本体１２の前面部１２Ｂに回り込むように延長したことにより、大腿部の圧迫感を低減する効果をより高めることができるとともに、シート前方からの風を更に取り込みやすくすることができる。その他の構成は第３実施形態と同様であり、同様の作用効果が奏される。
【００４３】
（第５実施形態）
図１３は第５実施形態に係る車両用シートを示したものである。この実施形態では、前方からの空気の取り込みをより多くするために、部分的にシートカバー１６の通気性を向上させた点で第１実施形態とは異なる。
【００４４】
すなわち、本実施形態では、シートカバー１６は、上記空気流路３５部分を含むパッド本体１２の前縁１２Ａを覆う前方側部１６Ａにおいて、他の部分よりも通気性が高く形成されている。より詳細には、この例では、図１３においてＭで示す範囲の通気性が、他の部分の通気性よりも高く設定されており、すなわち、シートカバー１６は、パッド本体１２の前面部１２Ｂを覆って車両前方に面する部分である前方側部１６Ａが、着座部２０を覆う部分を含むシートカバー本体部１６Ｂよりも通気性が高くなっている。このように部分的に通気性の高いシートカバー１６は、当該前方側部１６Ａにおいて、シートカバーを構成するファブリックやレザーのメッシュを粗くする又はパンチングの数を増やす等の手法により得られる。
【００４５】
このようにシートカバー１６の前方側部１６Ａの通気性を高く設定することにより、シート前方からの風を更に取り込みやすくことができ、空気流路３５から収容凹部３４の通気性部材１４に至る空気の流れをよりスムーズにすることができる。その他の構成は第１実施形態と同様であり、同様の作用効果が奏される。
【００４６】
（他の実施形態）
以上の実施形態では、通気性部材１４の設置箇所を腿下部２６のみとしたが、通気性部材１４は腿下部２６から尻下部２４にかけて着座部２０の全域に設けてもよく、これにより快適性を更に高めることができる。但し、尻下部２４は座り心地に対する影響が大きいので、好ましくは、通気性部材１４は腿下部２６のみに設置することである。
【００４７】
また、以上の実施形態では、通気孔３６をパッド本体１２の裏面側凹部３８に開口させて設けたが、例えば支持フレームに通気可能な溝や孔が設けられている場合、該通気孔をこれら支持フレームの溝や孔に対して開口させて設けてもよい。
【００４８】
また、以上の実施形態では、１人掛けの車両用シートについて説明したが、ベンチタイプと呼ばれる２人又は３人掛けのシートについても同様に適用することができる。また、以上の実施形態では、特に言及しなかったが、背もたれ部においても、上記通気性部材を組み込むことにより、更に快適性を向上することができる。その他、一々列挙しないが、本発明の趣旨を逸脱しない限り、種々の変更が可能である。
【符号の説明】
【００４９】
１０…車両用シート      １２…パッド本体        １２Ａ…前縁
１４…通気性部材        １６…シートカバー      １６Ａ…前方側部
２０…着座部            ２６…腿下部            ３４…収容凹部
３５…空気流路          ３６…通気孔            ３８…裏面側凹部
【図１】
0005959812.tif 000003
【図２】
0005959812.tif 000004
【図３】
0005959812.tif 000005
【図４】
0005959812.tif 000006
【図５】
0005959812.tif 000007
【図６】
0005959812.tif 000008
【図７】
0005959812.tif 000009
【図８】
0005959812.tif 000010
【図９】
0005959812.tif 000011
【図１０】
0005959812.tif 000012
【図１１】
0005959812.tif 000013
【図１２】
0005959812.tif 000014
【図１３】
0005959812.tif 000015